(57)【要約】【課題】本発明は、導光板を利用することで、最小限のＬＥＤ数で広いものから狭いものまで幅広く対応できて表示部全体を均一に光らせることができ、高い視認性を得ることができる案内用看板を提供する。【解決手段】案内用看板は、矩形の表示部７と、表示部７の上端部に取着された上フレーム２と、表示部７の下端部に取着された下フレーム３と、表示部７の上端面７ａに沿って配置され、表示部７内に光を投入するＬＥＤ８と、表示部７の背面７ｂに設置され、ＬＥＤ８の点灯・消灯を制御する照度センサ９、及び、下フレーム３の両端から突設された脚部３ｂとで構成される。表示部７は、上端面７ａから受けたＬＥＤ８の光を表示部７の表面７ｃに導光する導光板１０と、導光板１０の背面に配置され、導光板１０内を乱反射し、背面側に出ようとする光を前面側に反射する反射板１１と、導光板１０の前面に配置され、導光板１０の前面側から出光する光を受け入れて拡散させ、前面から出光する拡散板１２とで構成される。【選択図】図２
2016012022.tif 000002
【特許請求の範囲】
【請求項１】
矩形の表示部と、
表示部の上端部に取着された上フレームと、
表示部の下端部に取着された下フレームと、
表示部の上端面に沿って配置され、表示部内に光を投入するＬＥＤと、
表示部の背面に設置され、ＬＥＤの点灯・消灯を制御する照度センサ、及び、
下フレームの両端から突設された脚部とで構成され、
表示部は、上端面から受けたＬＥＤの光を表示部の表面側に導光する導光板と、導光板の背面に配置され、導光板内を乱反射し、背面側に出ようとする光を前面側に反射する反射板と、導光板の前面に配置され、導光板の前面側から出光する光を受け入れて拡散させ、前面から出光する拡散板とで構成されたことを特徴とする案内用看板。
【請求項２】
表示部は左右の縦フレームを更に備え、
上フレームは縦フレームの上端に取着され、
下フレームは縦フレームの下部に取着され、
表示部は、左右の縦フレーム、上・下フレームに囲まれた矩形枠部の内周面に形成された嵌合溝に嵌め込まれ、
縦フレームは、外側フレームと外側フレーム内に収納された内側フレームとで構成され、
外側フレームは、内周面側に全長に亘って開口し、該開口の表面側の開口辺が嵌合溝の表面側開口縁を構成し、
内側フレームは、内側フレーム本体から伸びた舌片が、外側フレームの開口から内周面側に伸びて嵌合溝の裏面側開口縁を構成することを特徴とする請求項１に記載の案内用看板。
【請求項３】
少なくともＬＥＤの周囲にコーキング剤が充填されていることを特徴とする請求項１又は２に記載の案内用看板。
【発明の詳細な説明】
【技術分野】
【０００１】
本発明は、通夜や告別式などで使用される会場表示板や会場案内板として使用されたり、飲食店を始めとする業務用の案内用看板であって、看板表示面が内側から照明されて非常に特に夜間時に見やすい案内用看板に関する。
【背景技術】
【０００２】
従来、通夜や告別式が行われる葬儀場周囲の道路の電柱には張り紙や立て看板が立てられ、表面に貼られた紙に家名や斎場名、斎場の方角を示す矢印などが書かれている。この張り紙や立て看板は、昼間時での使用では問題がないものの、暗くなってから通夜に向かう場合、視認性が悪く、つい見落とすということがあった。また、飲食店を始めとする業務用の案内用看板も同様、夜間に営業するような場合にあっては、夜間の視認性の欠如は営業に差し支える。
【０００３】
そこで、看板表示面を明るく輝くように工夫して、特に夜間の暗い場所でも見易く、かつ人目を惹くことが可能となるような案内用看板の一種である葬儀用看板が提案された（特許文献１）。この葬儀用看板は、案内すべき方向を、手指を模した図形による図形表示部と、家の名を表示した文字表示部とからなる表示部を有する表面板を装置本体に設け、表面板の後部の装置本体内にバッテリもしくは電池を電源とするＬＥＤを配置し、ＬＥＤの間欠点灯による点滅光を前記表面板の図形表示部と文字表示部を通して表示するというものである。
【先行技術文献】
【特許文献】
【０００４】
【特許文献１】実用新案登録第３０６４２６５号公報
【発明の概要】
【発明が解決しようとする課題】
【０００５】
処が、特許文献１の案内用看板は、家名や斎場名、方角を記載した表面板の背面に直下型でＬＥＤを設置することにより表面板を明るくして視認性の向上を図ろうとしているが、ＬＥＤの配置が表面板の背面に設置されて該背面を直接照らす直下型であるため、看板の寸法が大きくなればなるほど、ＬＥＤの数を増加させなければならないという問題がある。加えて、特に葬儀用看板では、単に電柱などに立て掛けて使用されるものであるから軽量で持ち運び易いこと、安価であることが重要で、この点、引用文献１のものは構造的に重厚で重く、その分、コスト高であるという問題もある。本発明は、第１に、導光板を利用することで、最小限のＬＥＤ数で広いものから狭いものまで幅広く対応できて表示部全体を均一に光らせることができ、高い視認性を得ることができること、第２に、軽量で持ち運び易く且つコストも低廉な案内用看板を提供することを課題とする。
【課題を解決するための手段】
【０００６】
請求項１に記載の案内用看板（図５，６）は、
矩形の表示部７と、
表示部７の上端部に取着された上フレーム２と、
表示部７の下端部に取着された下フレーム３と、
表示部７の上端面７ａに沿って配置され、表示部７内に光を投入するＬＥＤ８と、
表示部７の背面７ｂに設置され、ＬＥＤ８の点灯・消灯を制御する照度センサ９、及び、
下フレーム３の両端から突設された脚部３ｂとで構成され、
表示部７は、上端面７ａから受けたＬＥＤ８の光を表示部７の表面７ｃに導光する導光板１０と、導光板１０の背面に配置され、導光板１０内を乱反射し、背面側に出ようとする光を前面側に反射する反射板１１と、導光板１０の前面に配置され、導光板１０の前面側から出光する光を受け入れて拡散させ、前面から出光する拡散板１２とで構成されたことを特徴とする。
【０００７】
請求項２に記載の案内用看板（図１〜４）は、請求項１において、
表示部７は左右の縦フレーム１を更に備え、
上フレーム２は縦フレーム１の上端に取着され、
下フレーム３は縦フレーム１の下部に取着され、
表示部７は、左右の縦フレーム１、上・下フレーム２・３に囲まれた矩形枠部４の内周面５に形成された嵌合溝６に嵌め込まれ、
縦フレーム１は、外側フレーム１ａと外側フレーム１ａ内に収納された内側フレーム１ｂとで構成され、
外側フレーム１ａは、内周面５側に全長に亘って開口し、該開口の表面７ｃ側の開口辺１ｃが嵌合溝６の表面側開口縁を構成し、
内側フレーム１ｂは、内側フレーム本体１ｈから伸びた舌片１ｊが、外側フレーム１ａの開口から内周面５側に伸びて嵌合溝６の裏面側開口縁を構成することを特徴とする。
【０００８】
請求項３に記載の案内用看板は、請求項１又は２において、少なくともＬＥＤ８の周囲にコーキング剤１６が充填されていることを特徴とする。
【発明の効果】
【０００９】
本発明によれば、導光板１０を使用しているので、案内用看板が予定寸法のものより大きくなったとしても、少ないＬＥＤ８でもその光は表示部７の全面に亘って均一に散乱されて照度むらを生じることなくその前面から出光する。しかも、照度センサ９を用いているので、点灯は夜間のみとなり消費電力の抑制が可能となる。
【００１０】
また、請求項１の案内用看板では、表示部７に装着されるフレーム部材は上・下フレーム２・３と脚部３ｂのみであるから、軽量で取り扱いやすく、コストも大幅に抑制できる。
【００１１】
請求項２の案内用看板は、縦フレーム１が更に付加されているので、強度の向上が図られるだけでなく、縦フレーム１を外側フレーム１ａと内側フレーム１ｂとで構成し、外側フレーム１ａの表面７ｃ側の開口辺１ｃが嵌合溝６の表面側開口縁を構成するようにし、内側フレーム本体１ｈから伸びた舌片１ｊが、嵌合溝６の裏面側開口縁を構成するようにしているので、外側フレーム１ａに内側フレーム１ｂを収納するだけで、表示部７を固定する嵌合溝６を形成することが出来、非常に組み立てやすい。
【００１２】
なお、照射を阻害しない形で少なくともＬＥＤ８の周囲にコーキング剤１６が充填されているので、ＬＥＤ８の周囲に雨水が侵入してショートするというようなことがなく、案内用看板として戸外に設置することも可能である。
【図面の簡単な説明】
【００１３】
【図１】本発明の第１実施例の看板を正面側から見た斜視図である。
【図２】本発明の第１実施例の看板を背面側から見た分解斜視図である。
【図３】本発明の第１実施例の看板の縦フレームの拡大断面図である。
【図４】本発明の第１実施例の看板の上フレームの拡大断面図である。
【図５】本発明の第２実施例の正面図である。
【図６】図５の縦断面図である。
【発明を実施するための形態】
【００１４】
本発明の図１〜４に示す第１実施例の案内用看板に付いて説明する。左右の縦フレーム１は、外側フレーム１ａと内側フレーム１ｂの組み合わせで形成されており、内側フレーム１ｂは外側フレーム１ａにその端部から差し込むようにして収納されるようになっている。外側フレーム１ａは、断面長方形でその角部を全長にわたって切除した形状のアルミ押出成形品又はアルミ曲げ加工品である。
【００１５】
一方、内側フレーム１ｂは、逆Ｕ字形の内側フレーム本体１ｈと、内側フレーム本体１ｈの一方の開口縁から直角外方に舌片１ｊが全長に亘って設けられたアルミ成形押出品又はアルミ曲げ加工品で、内側フレーム本体１ｈは外側フレーム１ａより一回り細く形成されている。
【００１６】
上フレーム２は図４に示すように、ほぼ断面正方形でその一辺が角から該辺の中ほどまで切除された形状のアルミ成形押出品又はアルミ曲げ加工品で、その切除穴が上フレーム２の嵌合溝６となる。上フレーム２の幅は、外側フレーム１ａの幅より大きく、両端下面の切除穴２ａに外側フレーム１ａの先端が挿入されて固定されるようになっている。また、上フレーム２の内部天井面にはＬＥＤ８が所定間隔で配設されたプリント基板８ａが取着されている。ＬＥＤ８の照射方向は、後述するように嵌合溝６に嵌め込まれた表示部７の端面（換言すれば、導光板１０の上端面１０ａ）に向くように取着されている。
【００１７】
下フレーム３は上フレーム２と同じ押出部材が使用されており、この場合はＬＥＤ８の設置はない。また、下フレーム３は縦フレーム１の下部に取着されるため、その両端は縦フレーム１が挿通されるように上下の面が切除され、貫通孔３ａなっている。下フレーム３の架設部分より下は脚部３ｂとなる。
【００１８】
表示部７は、真ん中に導光板１０、その裏面側に反射板１１、表面側に拡散板１２が配設されている。反射板１１及び拡散板１２は、導光板１０より一回り大きく、隙間１５が導光板１０の周囲に全周に亘って形成されており、反射板１１と拡散板１２の間にて、ＬＥＤ８の設置部分を除いて防水パッキン１３が配設され、導光板１０をほぼ全周に亘って防水している。上フレーム２内の防水パッキン１３が配置されていない部分１３ａからＬＥＤ８の光が導光板１０の幅の狭い上端面１０ａに届く。防水パッキン１３はゴム製のありふれた形状で、細長いひも状をしており、内部に空洞が設けてあって、反射板１１及び拡散板１２に水密状に密着する。
【００１９】
導光板１０は、一定の厚みを有する透明アクリル板で、その１つの幅狭端面（上端面７ａ）が入光面となっている。反射板１１は導光板１０の背面に配置されており、その表面は白色表面で光を反射させるものであればよく、例えば白色樹脂板やアルミ箔が張り付けられて鏡面反射面に形成されている。拡散板１２は、例えば、内部に微細な泡や拡散部材を散乱させたもので、この場合は乳白色を呈している。
【００２０】
照度センサ９は、周囲の明るさを検出し、設定以下の明るさになった時、制御装置（図示せず）に信号を送り、ＬＥＤ８の点灯をなさしめる。電源１４はこの場合、電池を使用している。勿論、太陽電池のようなものでもよい。
【００２１】
しかして、図３のように外側フレーム１ａの端部から内側フレーム１ｂを挿入し、外側フレーム１ａの表面７ｃ側の開口辺１ｃと、内側フレーム１ｂの舌片１ｊとで嵌合溝６が形成されるようにし、三枚重ねで外周全周に防水パッキン１３を配設した表示部７の両端に前記嵌合溝６が嵌まり込むようにする。三枚重ねの表示部７の厚みより嵌合溝６の幅は若干狭く、圧入時にその差を防水パッキン１３が撓んで吸収することで、縦フレーム１と表示部７との間のガタは解消される。続いて、上フレーム２の両側の切除穴２ａを左右一対の縦フレーム１の上端に嵌め込み固定する。これにより図４のように、表示部７の上端が上フレーム２の嵌合溝６に圧入状態で嵌まり込んで固定されると共にＬＥＤ８が導光板１０の幅の狭い上端面１０ａに面接する。
【００２２】
そして、下フレーム３の両側の貫通孔３ａに左右一対の縦フレーム１の下端を挿入し、表示部７の下端が下フレーム３の嵌合溝６に圧入状態で嵌まり込んで固定され、縦フレーム１の下部に下フレーム３が取着されるようにする。最後に反射板１１の背面に照度センサ９と電源１４を固定し、照度センサ９と電源１４及びＬＥＤ８のプリント基板８ａを結線する。なお、最後に、上・下フレーム２・３と嵌合溝６の空隙にコーキング剤１６を充填し、上フレーム２に於いては、表示部７の上端部と上フレーム２の接着及びＬＥＤ８のコーキング剤１６内への埋入によるプリント基板８ａ全体の防水・絶縁を行い、下フレーム３にあっては、表示部７の下端部の雨水の侵入を防止するようにしてもよい。なお、コーキング剤１６の充填に当たってはＬＥＤ８による導光板１０の幅の狭い上端面１０ａへの照射を妨げないよう（例えば、ＬＥＤ８と上端面１０ａとの間にコーキング剤１６が入らないようにする）に注意して充填される。この点は他の実施例でも同じである。
【００２３】
このように構成した案内用看板の拡散板１２上に、案内文字や図柄が記載された透光板（図示せず）を着脱可能に張り付け（或いは、金具で取り付け）、斎場内は勿論、斎場外の適所（例えば、四つ角の信号機や電柱或いは街路樹）に立て掛ける。また、告別式以外では店舗の前や駅前などの適所に立て掛ける。
【００２４】
昼間は単なる案内用の看板としての働きをなすが、夕刻になり、辺りが設定以下の明るさになった時、照度センサ９がこれを感知して制御装置を作動させ、ＬＥＤ８を点灯させる。ＬＥＤ８から出た光は導光板１０の対向端面から内部に入り、導光板１０の表面と裏面間を乱反射し、一部は反射板１２によって反射されて導光板１０に戻り、他の一部は導光板１０の表面全面から均一に出光して拡散板１２内に入る。拡散板１２内に入った光は内部で散乱されつつ表面から出光し、透光板を前面に亘って均一に照らす。これにより透光板に記載された案内文字や図柄が拡散板１２の表面に浮かび上がる。この場合、例えば、ＬＥＤ８を２４個、単２乾電池を７本使用することで、発光面が均一に光り、導光板１０の前面は５０〜１００ルクスの明るさとなる。
【００２５】
朝方になり、周囲の明るさが設定値以上になれば、照度センサ９がこれを感知して制御装置を作動させ、ＬＥＤ８を消灯させる。なお、電源１４として乾電池を使用すれば商用電源のない処でも設置できる。
【００２６】
本発明の図５〜６に示す簡易型の第２実施例の案内用看板に付いて説明する。第２実施例の案内用看板のフレーム構造は、左右の縦フレーム１が省略され、上・下フレーム２・３と脚部３ｂだけで構成されている。それ以外は第１実施例と同じである。
【００２７】
上フレーム２は図６に示すように、下面が開口した断面ほぼコ字形のアルミ成形押出品又はアルミ曲げ加工品で、上記下面開口が表示部７に上端部に嵌め込まれる嵌合溝６となる。また、上フレーム２の内部天井面には第１実施例と同様にＬＥＤ８が所定間隔で配設されたプリント基板８ａが取着されている。ＬＥＤ８の照射方向は、第１実施例と同様に嵌合溝６に嵌め込まれた表示部７の端面（換言すれば、導光板１０の上端面１０ａ）に向くように取着されている。そして、表示部７の上端部が嵌め込まれた上フレーム２の嵌合溝６の空隙にコーキング剤１６が充填されており、表示部７の上端部と上フレーム２の接着及びＬＥＤ８のコーキング剤１６内への埋入によるプリント基板８ａ全体の防水・絶縁を行っている。従って、上フレーム２の長さは表示部７の横幅より若干大きく、表示部７の上端両側部がコーキング剤１６内に埋入されるようになっている。なお、この場合、縦フレーム１が存在しないので、表示部７の外周部分の適所に拡散板１２、導光板１０及び反射板１１を固定一体化するためのネジ・ナットのような表示部締結具１７が用いられている。
【００２８】
下フレーム３は上フレーム２と同じ押出部材が使用されており、開口が上向きで使用され、表示部７の下端部が嵌め込まれ、表示部７の下端部と下フレーム３の接着及び表示部７の水の溜まり易い下端部の防水・絶縁を行っている。この場合も、下フレーム３の長さは表示部７の横幅より若干大きく、表示部７の下端両側部がコーキング剤１６内に埋入されるようになっている。なお、下フレーム３には雨水が入りやすいので、ＬＥＤ８の設置は通常行わない。
【００２９】
下フレーム３の両端下面には下方に伸びる脚部３ｂがボルトのような脚部締結具１８にて取着されている。
【００３０】
表示部７は、防水パッキン１３を含めて第１実施例と同じである。照度センサ９、電源１４も第１実施例と同じである。また、使用方法及び作用も第１実施例と同じである。
【符号の説明】
【００３１】
１：縦フレーム、１ａ：外側フレーム、１ｂ：内側フレーム、１ｃ：外側フレームの表面側の開口辺、１ｈ：内側フレーム本体、１ｊ：舌片、２：上フレーム、２ａ：切除穴、３：下フレーム、３ａ：貫通孔、３ｂ：脚部、４：矩形枠部、５：内周面、６：嵌合溝、７：表示部、７ａ：表示部の幅狭端面（上端面）、７ｂ：表示部の背面、７ｃ：表面、８：ＬＥＤ、８ａ：プリント基板、９：照度センサ、１０：導光板、１０ａ：導光板の幅の狭い上端面、１１：反射板、１２：拡散板、１３：防水パッキン、１３ａ：防水パッキンが配置されていない部分、１４：電源、１５：隙間、１６：コーキング剤、１７：表示部締結具、１８：脚部締結具。
【図１】
2016012022.tif 000003
【図２】
2016012022.tif 000004
【図３】
2016012022.tif 000005
【図４】
2016012022.tif 000006
【図５】
2016012022.tif 000007
【図６】
2016012022.tif 000008